(57)【要約】【課題】表示色を調整する機能の利便性を向上させた画像表示装置を提供する。【解決手段】本発明の画像表示装置は、色度座標（色座標）で定義される各色の色見本を色度座標に対応した位置に表示した色度図（色見本画像）３２を表示し、色度図３２上にカーソル３１を表示させる。画像表示装置は、使用者からの指示に従ってカーソル３１を色度図３２上で移動させ、表示される白色がカーソル３１の表示位置に対応する色度座標で定義される色となるように表示色を調整する。使用者の操作に応じて白色がどのように変化するのかが視覚的に明示され、どの程度カーソルを移動させればどの程度表示色が変化するのかが直感的にわかりやすくなる。【選択図】図２
2009162946.tif 000002
【特許請求の範囲】
【請求項１】
カラー画像を表示する画像表示装置において、
所定の色空間上の色座標で定義される各色の色見本を色座標に対応する位置に配した色見本画像を表示する手段と、
前記色見本画像上にカーソルを表示する手段と、
表示できる白色が、前記カーソルが表示された前記色見本画像上の位置に対応する色座標で定義される色となるように表示色を調整する調整手段と、
前記カーソルを前記色見本画像上で移動させるための指示を受け付ける受付手段と、
該受付手段が受け付けた指示に従って、前記カーソルの表示位置を前記色見本画像上で移動させる移動手段と
を備えることを特徴とする画像表示装置。
【請求項２】
前記受付手段は、
前記カーソルを前記色見本画像上で連続的に移動させるための移動指示を受け付ける手段を有し、
前記移動手段は、
前記受付手段が受け付けた移動指示に従って、前記カーソルの表示位置を前記色見本画像上で連続的に移動させる手段を有すること
を特徴とする請求項１に記載の画像表示装置。
【請求項３】
色座標に変換可能なパラメータの値を予め定めた複数のパラメータ値を記憶する記憶手段を更に備え、
前記受付手段は、
前記記憶手段が記憶する複数のパラメータ値から一のパラメータ値を選択する選択指示を受け付ける手段を有し、
前記移動手段は、
前記受付手段が受け付けた選択指示に従って選択したパラメータ値を変換した色座標に対応する前記色見本画像上の位置へ、前記カーソルの表示位置を移動させる手段を有すること
を特徴とする請求項１又は２に記載の画像表示装置。
【請求項４】
前記色座標は色度座標であり、
前記色見本画像は色度図であり、
前記調整手段は、表示できる白色の色度が、前記カーソルが表示された色度図上の位置に対応する色度座標で表される色度となる表示色を調整するように構成してあること
を特徴とする請求項１から３までのいずれか一つに記載の画像表示装置。
【発明の詳細な説明】
【技術分野】
【０００１】
本発明は、カラー画像を表示する画像表示装置に関し、より詳しくは、表示色をユーザの操作により変更することができる画像表示装置に関する。
【背景技術】
【０００２】
カラー画像を表示する画像表示装置は、Ｒ（赤）Ｇ（緑）Ｂ（青）の各色を表示し、ＲＧＢ各色の輝度を調整することによって種々の色を表現している。ＲＧＢの輝度が全て最大値となった場合に、画像表示装置が表示する色は白色となる。従来の画像表示装置では、ＲＧＢ信号の比を調整することにより、表示色を調整することができる。具体的には、画像データに基づいたＲＧＢ各色の色信号を増幅して輝度を決定する際の増幅のゲインを調整することにより、表示色が調整される。例えば、ＧＢに比べてＲのゲインを大きくすれば、画像表示装置が表示する白色にはより赤みが増え、色温度が低下する。
【０００３】
従来の画像表示装置には、表示色を調整するための調整用画面を表示し、ＧＵＩ（Graphic user interface）を用いて表示色を調整できるものがある。図７は、表示色を調整するための調整用画面例を示す模式図である。図７（ａ）に示す例では、色温度を示す数直線が表示され、数直線上にカーソルが表示されている。ＧＵＩによりカーソルを移動させることで、色温度が指定され、指定された色温度に応じてＲＧＢのゲインが調整され、表示色が調整される。図７（ｂ）に示す例では、ＲＧＢの夫々について、ゲインの変化量を数値で示す数直線が表示され、数直線上にカーソルが表示されている。なお図中に示した数値は任意単位である。ＧＵＩによりカーソルを移動させることで、各色のゲインの変化量が指定され、指定された変化量に応じてＲＧＢのゲインが調整される。特許文献１には、ＧＵＩを用いて表示色を調整できる画像表示装置が開示されている。
【特許文献１】特開２００４−２９７４７７号公報
【発明の開示】
【発明が解決しようとする課題】
【０００４】
図７に示す調整用画面を用いて表示色を調整する場合は、色温度又は各色のゲインを変化させたときに表示色がどの程度変化するのかが直感的にわからないという問題がある。特に、画像表示装置が民生用のテレビジョン受像機である場合は、色温度又は各色のゲインと表示色との関係を知識として持っていない使用者が大半であるので、使用者にとって表示色を調整する機能の利便性が悪いという問題がある。
【０００５】
本発明は、斯かる事情に鑑みてなされたものであって、その目的とするところは、使用者の操作に応じて白色がどのように変化するのかを視覚的に示すことにより、表示色を調整する機能の利便性を向上させた画像表示装置を提供することにある。
【課題を解決するための手段】
【０００６】
本発明に係る画像表示装置は、カラー画像を表示する画像表示装置において、所定の色空間上の色座標で定義される各色の色見本を色座標に対応する位置に配した色見本画像を表示する手段と、前記色見本画像上にカーソルを表示する手段と、表示できる白色が、前記カーソルが表示された前記色見本画像上の位置に対応する色座標で定義される色となるように表示色を調整する調整手段と、前記カーソルを前記色見本画像上で移動させるための指示を受け付ける受付手段と、該受付手段が受け付けた指示に従って、前記カーソルの表示位置を前記色見本画像上で移動させる移動手段とを備えることを特徴とする。
【０００７】
本発明においては、画像表示装置は、所定の色空間上の色座標で定義される各色の色見本を色座標に対応した位置に表示した色見本画像を表示し、使用者からの指示に従ってカーソルを色見本画像上で移動させ、表示される白色がカーソルの表示位置に対応する色座標で定義される色となるように表示色を調整する。
【０００８】
本発明に係る画像表示装置は、前記受付手段は、前記カーソルを前記色見本画像上で連続的に移動させるための移動指示を受け付ける手段を有し、前記移動手段は、前記受付手段が受け付けた移動指示に従って、前記カーソルの表示位置を前記色見本画像上で連続的に移動させる手段を有することを特徴とする。
【０００９】
また本発明においては、画像表示装置は、使用者からの指示に応じてカーソルの表示位置を色見本画像上で連続的に移動させ、カーソルの表示位置に対応して表示色を調整する。
【００１０】
本発明に係る画像表示装置は、色座標に変換可能なパラメータの値を予め定めた複数のパラメータ値を記憶する記憶手段を更に備え、前記受付手段は、前記記憶手段が記憶する複数のパラメータ値から一のパラメータ値を選択する選択指示を受け付ける手段を有し、前記移動手段は、前記受付手段が受け付けた選択指示に従って選択したパラメータ値を変換した色座標に対応する前記色見本画像上の位置へ、前記カーソルの表示位置を移動させる手段を有することを特徴とする。
【００１１】
また本発明においては、画像表示装置は、複数のパラメータ値を予め記憶しておき、使用者からの指示に応じていずれかのパラメータ値を選択し、選択したパラメータ値に応じてカーソルの表示位置を変更し、表示色を調整する。
【００１２】
本発明に係る画像表示装置は、前記色座標は色度座標であり、前記色見本画像は色度図であり、前記調整手段は、表示できる白色の色度が、前記カーソルが表示された色度図上の位置に対応する色度座標で表される色度となる表示色を調整するように構成してあることを特徴とする。
【００１３】
更に本発明においては、色見本画像はｘｙ又はｕｖ等の色度座標で定義される各色を分布させた色度図であり、画像表示装置は、白色の色度がカーソルの表示位置に対応する色度座標で表される色度となるように表示色を表示する。
【発明の効果】
【００１４】
本発明にあっては、使用者は、表示された色見本画像を視認しながら色見本画像上でカーソルを移動させ、白色が色見本画像上のカーソルで示される色になるように表示色を調整することができる。使用者の操作に応じてカーソルが色見本画像上で移動するので、使用者の操作に応じて白色がどのように変化するのかが視覚的に明示され、どの程度カーソルを移動させればどの程度表示色が変化するのかが直感的にわかりやすくなる。従って、画像表示装置が表示する表示色を使用者の所望の色に調整することを直感的に容易に行うことが可能となり、画像表示装置において表示色を調整する機能の利便性が向上する等、本発明は優れた効果を奏する。
【発明を実施するための最良の形態】
【００１５】
以下本発明をその実施の形態を示す図面に基づき具体的に説明する。
図１は、本発明の画像表示装置の内部構成を示すブロック図である。画像表示装置は、放送信号を受信するチューナ２５と、図示しない録画装置等の外部装置から送信されるデータを入力される外部入力部２６とを備えており、チューナ２５及び外部入力部２６はセレクタ２４に接続されている。チューナ２５は、図示しないアンテナに接続されており、アナログ放送又はデジタル放送の放送信号を受信し、受信した放送信号を復調したデータをセレクタ２４へ入力する。セレクタ２４は、分離部２３に接続されており、チューナ２５及び外部入力部２６のいずれかを選択して選択した側からのデータを分離部２３へ入力する。
【００１６】
分離部２３は、セレクタ２４から入力されたデータを、画像に係るデータ、音声に係るデータ、及び電子番組表に係るデータ等に分離する。分離部２３はデコーダ２１に接続されており、分離したデータの夫々をデコーダ２１へ入力する。デコーダ２１は、分離部２３から入力された夫々のデータをデコードする。例えば、デコーダ２１は、画像に係るデータを所定フォーマットの画像データにデコードし、音声に係るデータを所定フォーマットの音声データにデコードする。デコーダ２１には音声処理部２２及び画像処理部１６が接続されており、デコーダ２１は、デコードした音声データを音声処理部２２へ入力し、画像データを画像処理部１６へ入力する。音声処理部２２は、音声データに従った音声を、図示しないスピーカ等の音声出力手段に出力させる処理を実行する。
【００１７】
画像処理部１６は、デコーダ２１から入力された画像データに従って、画像データに従った画像を表示させるために必要な画像処理を実行する。画像処理部１６は、ＡＤ変換、ＹＣ分離、ＩＰ変換、カラーマトリクス変換等の必要な画像処理を実行ことにより、表示すべき画像ＲＧＢ各色の強度を示す色信号を生成し、生成した色信号を出力する。画像処理部１６には、ゲイン制御部１４を介して、液晶パネル又はプラズマパネル等を用いた表示部１５が接続されている。ゲイン制御部１４は、予め設定されているゲインでＲＧＢ各色の色信号を増幅することにより、各色信号成分を生成し、生成した信号成分を表示部１５へ入力する。表示部１５は、入力された信号成分が示す明るさでＲＧＢ各色を発色することにより、カラー画像を表示する。
【００１８】
画像表示装置は、更に、演算を行う演算部、演算に伴う情報を記憶するＲＡＭ、演算に必要なプログラムを記憶するＲＯＭ等からなり、画像表示装置に必要な演算処理を行い、画像表示装置の各部の動作を制御する制御処理部１１を備えている。制御処理部１１は、ゲイン制御部１４及び表示部１５に接続されており、更に、不揮発性のメモリで構成されたメモリ部（記憶手段）１２と、図示しないリモコン（リモートコントローラ）からの信号を受信するリモコン受信部（受付手段）１３とが接続されている。メモリ部１２は、表示部１５が表示する表示色を調整するための色調整用画面の素材データを記憶しており、制御処理部１１は、メモリ部１２が記憶する素材データを用いて色調整用画面を作成し、表示部１５が表示している画像に重ねて色調整用画面を表示させる処理を行う。またメモリ部１２は、設定されたＲＧＢ各色のゲインを記憶しており、制御処理部１１は、ゲイン制御部１４が色信号を増幅するゲインをメモリ部１２が記憶するゲインに設定する処理を行う。リモコン受信部１３は、本発明における受付手段であり、使用者がリモコンを操作することによって送信される各種の指示を受け付け、制御処理部１１は、リモコン受信部１３が受信した指示に従った処理を実行する。
【００１９】
図２は、本発明の画像表示装置が表示する色調整用画面の例を示す説明図である。色調整用画面は、色度図３２と、夫々に所定の色温度に対応する複数のボタンが表示された色温度表示領域３３と、ＲＧＢの夫々についてゲインの変化量を示す数直線が表示されたゲイン表示領域３４とからなる。色度図３２はｘｙ又はｕｖ等の色度座標で定義される各色を分布させた画像であり、図２中には表現しきれていないものの、色度座標で定義される各色の色見本を色度座標に対応する位置に表示している。即ち、使用者は、色度図３２を見ることで色を視覚的に確認することができる。色度図３２は、本発明における色見本画像に対応する。
【００２０】
色温度表示領域３３では、低、中又は高等の色温度の高低を示す文字が付された複数のボタンが表示されており、メモリ部１２は、各ボタンに関連付けた所定の色温度を実現するためのＲＧＢ各色のゲインを記憶している。例えば、高、高−中、中、中−低、低の各ボタンに関連付けて、８０００Ｋ、７０００Ｋ、６０００Ｋ、５０００Ｋ、４０００Ｋの各色温度を実現するためのＲＧＢ各色のゲインが記憶されている。ゲイン表示領域３４には、現在のＲＧＢ各色のゲインが、初期値からの変化量を任意単位で表すことで表示されている。
【００２１】
また色度図３２上には、カーソル３１が重ねて表示されている。制御処理部１１は、表示部１５が表示する白色の色度が、カーソル３１が表示されている色度図３２上の位置に対応する色度座標で表される色度になるように、ＲＧＢ各色のゲインを設定する処理を行う。ｘｙ又はｕｖ等の色度座標とＲＧＢ各色のゲインとは所定の変換式を用いて互いに変換することが可能である。但し、表示部１５に含まれる液晶パネル又はプラズマパネル等の表示デバイスの特性に応じて、変換式に含まれる変換係数は異なる。従って、メモリ部１２は、表示部１５の特性に応じて予め調整された変換係数を記憶しており、制御処理部１１は、メモリ部１２が記憶する変換係数を用いて色度座標とＲＧＢ各色のゲインとを相互に変換し、ゲイン制御部１４が色信号を増幅するゲインを、色度座標から変換したゲインに設定する処理を行う。ゲイン制御部１４は、制御処理部１１で設定されたゲインでＲＧＢ各色の色信号を増幅する。このため、表示部１５が表示する表示色は、白色の色度が色度図３２上のカーソル３１で示される色度になるような表示色となる。
【００２２】
次に、本発明の画像表示装置の動作を説明する。画像表示装置は、ＲＧＢ各色のゲインを調整する方法として、ゲインを離散的に変更するモード１と、ゲインを連続的に変更するモード２とを実行する機能を有する。図３及び図４は、画像表示装置が実行する処理の手順を示すフローチャートである。制御処理部１１は、使用者が図示しないリモコンの調整ボタンを押下する等、使用者がリモコンに所定の操作を行うことによる、表示色の調整指示をリモコン受信部１３で受け付けることを随時待ち受けている（Ｓ１１）。調整指示の受付がない場合は（Ｓ１１：ＮＯ）、制御処理部１１は、調整指示の受付の待ち受けを続行する。調整指示をリモコン受信部１３で受け付けた場合は（Ｓ１１：ＹＥＳ）、図２に示す如き色調整用画面を表示部１５に表示する（Ｓ１２）。制御処理部１１は、次に、ＲＧＢ各色のゲインを調整する方法としてモード１とモード２とのいずれかを選択させるメニューを表示部１５に表示させてモードの指定を受け付ける等の方法により、使用者がリモコンに所定の操作を行うことによるモード指定の受付を待ち受ける（Ｓ１３）。モード指定の受け付けがない場合は（Ｓ１３：ＮＯ）、制御処理部１１は、モード指定の受付の指定の待ち受けを続行する。モード指定をリモコン受信部１３で受け付けた場合は（Ｓ１３：ＹＥＳ）、制御処理部１１は、受け付けたモード指定で指定されたゲインの調整方法がモード１であるか否かを判定する（Ｓ１４）。
【００２３】
指定されたゲインの調整方法がモード１である場合は（Ｓ１４：ＹＥＳ）、制御処理部１１は、予め定められた複数の色温度の内から一の色温度を選択する選択指示の受付を待ち受ける（Ｓ２１）。図５は、モード１の色調整用画面例を示す説明図である。色調整用画面中の色温度表示領域３３に表示された所定の色温度を示す複数のボタンの内、一のボタンが強調表示されている。図中の例では、高−中のボタンが選択されている。ステップＳ２１では、例えば、図示しないリモコンに備えられたカーソル移動キーを使用者が押下し、カーソル移動キーの押下に従った信号をリモコンが送信し、制御処理部１１は、リモコン受信部１３が受信した信号に従って、色温度表示領域３３中で強調表示されたボタンを切り換え、強調表示されたボタンに関連付けられた色温度の選択指示を受け付ける。
【００２４】
ステップＳ２１にて選択指示をリモコン受信部１３で受け付けた場合は（Ｓ２１：ＹＥＳ）、制御処理部１１は、選択指示に従って、一の色温度を選択する（Ｓ２２）。制御処理部１１は、次に、選択した色温度に関連付けてメモリ部１２に記憶しているＲＧＢ各色のゲインを読み出し（Ｓ２３）、ゲイン制御部１４が色信号を増幅するゲインを、読み出したゲインに設定する（Ｓ２４）。ゲイン制御部１４は、設定されたゲインでＲＧＢ各色の色信号を増幅し、この結果、表示部１５が表示する画像の色温度が選択された色温度となる。
【００２５】
制御処理部１１は、次に、メモリ部１２に記憶してある変換係数を用いて、設定したゲインから色度座標を計算する（Ｓ２５）。制御処理部１１は、次に、表示部１５が表示する色調整用画面の色度図３２中のカーソル３１の表示位置を、計算した色度座標に対応する位置に変更し、ゲイン表示領域３４中のゲインの表示を、設定したゲインを示す表示に変更する（Ｓ２６）。図５中には、高−中のボタン、即ち色温度７０００Ｋが選択され、色度図３２中で色温度７０００Ｋに対応する色度座標の位置にカーソル３１が表示されている。他の色温度が選択された場合のカーソル３１２，３１３を図５図中に破線で示している。色温度表示領域３３に表示されたボタンに関連付けられた色温度は、離散的な値であるので、いずれの色温度を選択するかに応じて、カーソル３１の表示位置は図５に示すように離散的に変更される。
【００２６】
ステップＳ２６が終了した後は、制御処理部１１は、処理をステップＳ２１へ戻す。ステップＳ２１で選択指示の受付がない場合は（Ｓ２１：ＮＯ）、制御処理部１１は、使用者が図示しないリモコンの終了ボタンを押下する等、使用者がリモコンに所定の操作を行うことによる、色調整の終了指示をリモコン受信部１３で受け付けることを待ち受ける（Ｓ２７）。終了指示の受付がない場合は（Ｓ２７：ＮＯ）、制御処理部１１は、処理をステップＳ２１へ戻す。終了指示をリモコン受信部１３で受け付けた場合は（Ｓ２７：ＹＥＳ）、制御処理部１１は、処理を終了する。
【００２７】
ステップＳ１４で、モード指定で指定されたゲインの調整方法がモード２である場合は（Ｓ１４：ＮＯ）、制御処理部１１は、表示部１５が表示する色調整用画面中のカーソル形状をモード１のカーソル形状とは異なった形状へ変更する（Ｓ３１）。図６は、モード２の色調整用画面例を示す説明図である。モード２でのカーソル３５の形状は、モード１でのカーソル３１の形状と異なり、上下左右に矢印の先が向いた十字カーソルの形状となっている。このような形状とすることにより、カーソル３５が色度図３２上で移動可能であることが示される。制御処理部１１は、次に、使用者がリモコンに所定の操作を行うことによる、カーソル３５を色度図３２上で移動させる移動指示の受付を待ち受ける（Ｓ３２）。ステップＳ３２では、例えば、図示しないリモコンに備えられたカーソル移動キーを使用者が押下し、カーソル移動キーの押下に従った信号をリモコンが送信し、制御処理部１１は、リモコン受信部１３が受信した信号に従って、使用者が押下したカーソル移動キーに応じた方向への移動指示を受け付ける。
【００２８】
ステップＳ３２で移動指示を受け付けた場合は（Ｓ３２：ＹＥＳ）、制御処理部１１は、受け付けた移動指示に従って、表示部１５が表示する色調整用画面の色度図３２中のカーソル３５の表示位置を移動させる（Ｓ３３）。例えば、リモコンの特定のカーソル移動キーが長時間押下された場合にはカーソル３５は押下されたカーソル移動キーに対応する方向へ大きく移動し、カーソル移動キーが短時間押下された場合にはカーソル３５は小さく移動する。制御処理部１１は、次に、色度図３２中の移動後のカーソル３５の表示位置に対応する色度座標を取得し（Ｓ３４）、メモリ部１２に記憶してある変換係数を用いて、取得した色度座標からＲＧＢ各色のゲインを計算する（Ｓ３５）。制御処理部１１は、次に、ゲイン制御部１４が色信号を増幅するＲＧＢ各色のゲインを、計算したゲインに設定する（Ｓ３６）。ゲイン制御部１４は、設定されたゲインでＲＧＢ各色の色信号を増幅し、この結果、白色の色度が色度図３２上でカーソル３５に示される色度となる表示色で表示部１５は画像を表示する。制御処理部１１は、次に、表示部１５が表示する色調整用画面のゲイン表示領域３４中のゲインの表示を、設定したゲインを示す表示に変更する（Ｓ３７）。図６中に示す如きカーソル３５は、色度図３２上を使用者からの移動指示に従って連続的に移動し、カーソル３５の表示位置に対応した表示色で表示部１５に画像が表示される。
【００２９】
ステップＳ３７が終了した後は、制御処理部１１は、処理をステップＳ３２へ戻す。ステップＳ３２で移動指示の受付がない場合は（Ｓ３２：ＮＯ）、制御処理部１１は、色調整の終了指示をリモコン受信部１３で受け付けることを待ち受ける（Ｓ３８）。終了指示の受付がない場合は（Ｓ３８：ＮＯ）、制御処理部１１は、処理をステップＳ３２へ戻す。終了指示をリモコン受信部１３で受け付けた場合は（Ｓ３８：ＹＥＳ）、制御処理部１１は、処理を終了する。
【００３０】
以上説明したように、本発明の画像表示装置は、色度座標で定義される各色の色見本を色度座標に対応した位置に表示した色度図３２を表示し、使用者からの指示に従ってカーソルを色度図３２上で移動させ、表示される白色がカーソルの表示位置に対応する色度座標で定義される色となるように表示部１５の表示色を調整する。画像表示装置が以上の処理を実行することにより、使用者は、色度図３２を視認しながら色度図３２上でカーソルを移動させ、白色が色度図３２上のカーソルに示される色になるように表示色を調整することができる。色度図３２上で色見本が示され、使用者の操作に応じてカーソルが色度図３２上で移動するので、使用者の操作に応じて白色がどのように変化するのかが視覚的に明示され、どの程度カーソルを移動させればどの程度表示色が変化するのかが直感的にわかりやすくなる。従って、表示部１５が表示する表示色を使用者の所望の色に調整することを直感的に容易に行うことが可能となり、画像表示装置において表示色を調整する機能の利便性が向上する。
【００３１】
また本発明のモード１では、予め定めてある複数の色温度のいずれかを選択し、選択した色温度に応じて表示色及びカーソル３１の表示位置を変更するので、色度図３２上でのカーソル３１の表示位置は離散的に変更され、表示部１５の表示色を大幅に変化させる場合に便利である。また本発明のモード２では、使用者からの移動指示に応じてカーソル３５の表示位置を色度図３２上で連続的に移動させ、カーソル３５の表示位置に対応して表示色を調整するので、表示部１５の表示色も連続的に変化し、表示色の微調整を行う場合に便利である。なお、本発明の画像表示装置は、モード１で、予め定めてある複数の色温度のいずれかを選択し、選択した色温度に応じて表示色及びカーソル３１の表示位置を変更した後に、使用者がリモコンのカーソル移動キーを押下する等の所定の操作による微調整の指示を受け付け、ゲイン表示領域３４中に表示されたＲＧＢ各色のゲインを、受け付けた指示に従ってＲＧＢ個別に微調整する処理を行ってもよい。この処理を行う場合でも、色度図３１上のカーソル３１の表示位置は変更される。
【００３２】
なお、本実施の形態においては、色温度を示すボタンを含む色温度表示領域３３を色調整用画面内に表示する形態を示したが、本発明の画像表示装置は、ＲＧＢ各色の予め定められたゲインの組等、その他のパラメータを示すボタンを色調整用画面内に表示する形態であってもよい。また本実施の形態においては、色調整用画面内に表示したボタンに関連付けてＲＧＢ各色のゲインをメモリ部１２に記憶し、ボタンを選択することによりゲインを選択する形態を示したが、本発明の画像表示装置は、ボタンに関連付けられたパラメータ値として、色度座標自体又は色温度等、色度座標へ変換可能なその他のパラメータ値をメモリ部１２に記憶している形態であってもよい。また本発明の画像表示装置は、予め定められたパラメータ値として、使用者の所望の色温度等、使用者によって設定されたパラメータ値をメモリ部１２に記憶している形態であってもよい。
【００３３】
また本実施の形態においては、本発明における色座標として色度座標を用い、色見本画像として色度図を用いた形態を示したが、本発明の画像表示装置は、これに限るものではなく、その他の色座標及び色見本画像を用いた形態であってもよい。例えば、画像表示装置は、色空間としてＬａｂ又はＨＳＶ等のＸＹＺ以外の色空間を用い、用いた色空間上の色座標で定義される各色が分布した色見本画像を表示する形態であってもよい。
【図面の簡単な説明】
【００３４】
【図１】本発明の画像表示装置の内部構成を示すブロック図である。
【図２】本発明の画像表示装置が表示する色調整用画面の例を示す説明図である。
【図３】画像表示装置が実行する処理の手順を示すフローチャートである。
【図４】画像表示装置が実行する処理の手順を示すフローチャートである。
【図５】モード１の色調整用画面例を示す説明図である。
【図６】モード２の色調整用画面例を示す説明図である。
【図７】表示色を調整するための調整用画面例を示す模式図である。
【符号の説明】
【００３５】
１１  制御処理部
１２  メモリ部（記憶手段）
１３  リモコン受信部（受付手段）
１４  ゲイン制御部
１５  表示部
３１  カーソル
３２  色度図（色見本画像）
【図１】
2009162946.tif 000003
【図２】
2009162946.tif 000004
【図３】
2009162946.tif 000005
【図４】
2009162946.tif 000006
【図５】
2009162946.tif 000007
【図６】
2009162946.tif 000008
【図７】
2009162946.tif 000009